(57)【要約】      （修正有）【課題】カレンダーを、如何に素早く、見栄えのするシンプルな額に収め、且つ安価で、使用しやすいカレンダー専用額を、ソケットセットを使用することにより、簡単に壁面への取付けを可能にする。【解決手段】カレンダーを、掛ける背面に薄合板１２を設置したカレンダー専用額１１であって、壁面に額を簡単に取付けるためのソケットセット１８を、カレンダー専用額１１にセットしたことを、特徴とする。【選択図】図１
2007014712.tif 000002
【特許請求の範囲】
【請求項１】
背面に薄い合板を使用した壁掛け額であり、それにより薄い合板から、額外面までの距離を保ち、カレンダーが額表面外に出ずに収まること、また、裏面に薄い合板と側枠、壁接地面との間に壁面取り付けフックが納まる空間を作り上部に位置する薄合板の反り、変形防止版に板状フックを取り付け、又壁面に壁掛けソケットを取り付け、額を簡単に取り付け可能とし、更に壁面においてソケットセットを取り付ける時点、他の側定具を使用せずともソケットセットを平行に取り付け可能となる簡易分銅を、ソケット部に取り付けるとともにソケット板にピン穴を２ヶ所設置、ソケットセット裏面には壁面に貼り跡が残らない強力両面テープを設置等、特徴機能を有するカレンダー専用額。
【発明の詳細な説明】
【技術分野】
【０００１】  本発明は、家庭やオフィスで使用されている各種サイズのカレンダーの存在を示すために額に収め且つ容易に設置でき、室内バランスを図るカレンダー専用額に関する。【０００２】  従来、多くのカレンダー額等の考案もなされ、製造、販売されているはずだが、カレンダーとともに、他の掲示物を貼ったり等、目的が多いためかカレンダー独自を主張するカレンダー額その物は家具販買店等でも見られず、カレンダーは相変わらず無造作に、梁や柱等に吊るされている。【０００３】  カレンダー自体は、年末等に出入りの商店等により贈られるものを使用することが、大半で、機能は、如何に簡単に使用されるかを目的としているため、複雑な使用方法には耐えられず、現在に至るまで、そのままの状態で使用されている。【０００４】  尚、本願発明に関する公知技術として、次の特許文献１、２，３、を挙げることができる。【０００５】
【特許文献１】  特開平０８−２４４３８２
【特許文献２】  特開２００５−１３６１
【特許文献３】  実開平０２−１１１３５８
【発明の開示】
【発明が解決しようとする課題】
【０００６】  上述の如く従来技術に関わるカレンダー額等は、自分の好みの絵や写真等を、飾ることにあったり、大型ボードにカレンダーを、セットし他の目的物とともに掲示したり、保持部が表面に多く見られ、見栄えにも問題を残すため、多くの人や、多くの場所で、使用されることは難しい。【０００７】  このため、多目的機能を備えた額が有っても、室内及び家具等とのバランスなど考えた場合、その目的を達せず、と思ってか、カレンダーは適当に吊るされ、額そのものの使用例は殆ど見ることは、できない現状である。【０００８】  本発明は、このような点に鑑みて成されたものであり、その目的は、カレンダーを、如何に素早く見栄えのするシンプルな額に収め、安価で使用しやすいカレンダー専用額を如何に多く人たちや、如何に多くの場所で使用してもらえるかにある。【０００９】  上述の目的を達成する本発明のカレンダー専用額は、カレンダー背面となる部署に薄合板を使用し、裏面、板状フックの部分に空間を作り、壁掛けフックを収めるとともに簡単にカレンダー専用額を、壁面に、取付けることができるソケットセットをカレンダー専用額にセットしたことを特徴とする。【００１０】  一例として、ソケットセットを数１０秒又は数分にて壁面に取付けて、カレンダー専用額裏面に取付けてある板状フックを、ソケットに差込めば、カレンダー専用額の壁面えの取付けは、完了となる。
【発明の効果】
【００１１】  以上説明したように、本発明によれば、カレンダー専用額はシンプルであり、尚且つガラスを使用することなく、軽量であるため、ソケットセット等においても、重量ある金属製品を使用することなく、安価で仕上がり、カレンダー本体に何も手を加えることがないので、見栄えもよく使用意識を高めるのに有効である。
【発明を実施するための形態】
【００１２】  以下本発明の実施の形態を、図面に基づき詳細に説明する。
【００１３】図１〜図６は本発明の第１の実施に関わり、図１は額本体の外観斜視図、図２は本体裏面図、図３は本体断面図、図４はソケットセット斜視図、図５はソケットセット裏面図、図６は市販止めピン図である
【００１４】  図１に示すように、本カレンダー専用額１１は、カレンダー背面を薄合板１２とし、表面額１３、側枠１４、にて本体を形成、背面版１２上部にカレンダーをそのまま掛けるフック１５を設置しただけの、いたってシンプルなものである。
【００１５】  図２に示すように、本カレンダー専用額裏面においては、側枠１４の中に薄合板１２を入れ、上下に反りや変形防止のための防止板１７を設置、又壁面に取付けたソケットセット１８のソケット部１９に差し込む板状フック１６を設置したものであるが、板状フック１６は、カレンダー専用額１１が重量物であるガラスを使用することなく、軽量であるため、小さな薄合板又は化学合成板（プラスチック）等で充分カレンダー専用額１１保持には耐えられる。
【００１６】  カレンダー専用額１１は図３に示すように、側枠１４の中に、反り変形防止版１７板状フック１６が配置されているが、板状フック１６と薄合板１２との間に壁面取付けのためのソケット部１９が納まり側枠１４のなかに、ソケットセットも収まるためカレンダー専用額と、壁面との設置面間の隙間は殆ど無となる。
【００１７】  図４は、壁面に取付けるソケットセット１８であり、材質は科学合成品（プラスチック等）とするが、カレンダー専用額１１そのものは軽量であるため金属製品は必要ない。
ソケット部１９は、板状フック１６を差し込む形態となっていて、中央に糸２３（テグス等）を取付け、その末端に、鉛玉２４を取付けることにより、簡易分銅の形態を成している。
これは、壁面に取付け時、ソケット板２０、上部を壁面に接することにより分銅は静止する。
その時測定線２２に合わすことにより、ソケットセット１８は、水平に壁面に取付け可能となる特徴を備えている。
【００１８】  図５は、ソケットセット１８裏面を示すが、両脇に厚めの強力両面テープ２５をセットしてある。
この両面テープ２５は、下方に引っ張ると壁面に貼り跡を残さない性質を持つため額移動の理由が生じた場合に適している。
又、ソケット板２０には、ピン穴２１を２ヶ所設置し、両面テープ２５を使用できない凹凸有る壁面において、細い止めピンにて、ソケットセット１８を取付けることになるが、カレンダー専用額１１が軽量であるため、両面テープ２５、止めピンにても充分保持能力を満たすことができる。
【００１９】  図６はヘット付き止めピン２６を示すが、これはいたる所で見られる市販品である。
止めピン２６のヘットは、ソケット部１９の側面巾より出ることなく、カレンダー専用額１１の壁面取付けには、何の支障もない。
【実施例】
【００２０】  カレンダー専用額１１の材料は、木材を主体として使用されている。
木材は、化学合成材（プラスチック）に比して、ゆがみや、変形も少ないし、変色も目立たないため、長年使用しても飽きる心配もないためもある。
額１３の形態は角材に限らず、丸材、半丸材等と多様化し、一定する必要はないし、種々の表面装飾は自由であり、好みの選択を可能にする。
現状のカレンダーの寸法は一定しないため、カレンダー専用額１１においても寸法は一定せず、各種カレンダーに合わせた寸法を用いるので、家庭やオフィス等では、使用カレンダーの寸法によって、掛け替え需要が発生するが、その時点においては、  前のカレンダー位置であれば、壁面に残っているソケットセット１９に、板状フック１６を掛けるだけとなる。【００２１】  以上本発明の実施を説明したが、本発明の範囲は、ゆがみ、ひずみ、変色等の心配がないと判断された場合であれば、化学合成材（プラスチック）等の部分材、形態材は適宜選択されるものとする。【００２２】  本発明は、家具として有用なカレンダー専用額として製造販売する分野で利用することができる。
【図面の簡単な説明】
【００２３】
【図１】  本発明の第一の実施形態に係るカレンダー専用額の斜視図である。
【図２】  図１のカレンダー専用額裏面図である。
【図３】  図１のカレンダー専用額の断面図である。
【図４】  図１のカレンダー専用額に係るソケットセットの斜視図である。
【図５】  図１のカレンダー専用額に係るソケットセットの裏面図である。
【図６】  図１のカレンダー専用額に係るソケットセットに使用するヘット付き止めピン図である。
【符号の説明】
【００２４】  １１、カレンダー専用額本体
１２、カレンダー背面板
１３、額
１４、側枠
１５、カレンダー取付けフック
１６、壁面取付け板状フック
１７、反り、変形防止板
１８、ソケットセット
１９、ソケット部
２０、ソケット板
２１、ピン穴
２２、測定線
２３、糸（テグス等）
２４、鉛玉
２５、強力両面テープ
２６、ヘット付き市販ピン
【図１】
2007014712.tif 000003
【図２】
2007014712.tif 000004
【図３】
2007014712.tif 000005
【図４】
2007014712.tif 000006
【図５】
2007014712.tif 000007
【図６】
2007014712.tif 000008